(57)【要約】【課題】複数の電線を、ＬＥＤ基板又は他の種類のＬＥＤ用途に接続するのに特に好適なコネクタを提供する。【解決手段】電線を部品に接続するようにされた電気コネクタが、内部に電気コンタクトを有するソケットを定める雌型部品を含む。雄型部品は、絶縁電線の導電性コアを受けるようにされた第１の部分を有するコンタクトを備えた絶縁性ベース本体と、ベース本体から横断方向に延びる絶縁プラグ部材とを含む。電気コンタクトは、プラグ部材内に少なくとも部分的に延びる第２の部分を有する。雄型部品及び雌型部品の嵌合接触において、プラグ部材は、プラグ部材上の電気コンタクトが、ソケット内の電気コンタクトと係合して、電線を電気部品に電気的に接続するようにソケットに挿入される。【選択図】図２
2011029188.tif 000002
【特許請求の範囲】
【請求項１】
電線を部品に接続するようにされた電気コネクタであって、
ソケットを定める絶縁本体と、電気部品の端部上におけるコネクタパッドのフットプリントに対応する距離だけ離間配置された前記絶縁本体の底面における第１の部分、及び、前記ソケット内に延びる第２の部分を有する、該絶縁本体内に保持される少なくとも２つの電気コンタクトと、を含む雌型部品と、
絶縁電線の導電性コアを受けるようにされた第１の部分を有する少なくとも２つの電気コンタクトを備えた絶縁性ベース本体を含む雄型部品と、
を含み、前記雄型部品は、前記ベース本体から横断方向に延びる絶縁性プラグ部材をさらに含み、前記電気コンタクトは、前記プラグ部材の上に少なくとも部分的に延びる第２の部分を有し、
前記雄型部品及び雌型部品のコンタクトの嵌合において、前記プラグ部材は、該プラグ部材上の前記電気コンタクトが、前記ソケット内の前記電気コンタクトに対して係合し、前記電線を前記電気部品に電気的に接続するように前記ソケットに挿入される、ことを特徴とするコネクタ。
【請求項２】
前記ソケット内の前記電気コンタクトの前記第２の部分は、ばね付勢されて、前記雄型プラグ部材の前記電気コンタクトの前記第２の部分と係合することを特徴とする、請求項１に記載のコネクタ。
【請求項３】
前記雌型部品内の前記電気コンタクトは、概ねＵ字型であり、前記付勢された第２の部分は、前記ソケット内に延びる前記Ｕ字型コンタクトの上側の脚部によって定められ、該電気コンタクトの前記第１の部分は、前記絶縁本体内の開口部を通って該絶縁本体の前記底面まで延びる該Ｕ字型コンタクトの脚部によって定められることを特徴とする、請求項１に記載のコネクタ。
【請求項４】
前記雄型部品は、前記電気コンタクトの前記第１の部分の上で前記ベース本体に嵌合する上部カバー部材をさらに含むことを特徴とする、請求項１のコネクタ。
【請求項５】
前記上部カバー部材上にラッチ装置をさらに含み、前記ラッチ装置は、前記雌型部品の上に延び、該雌型部品に係合して前記雄型部品及び雌型部品を結合状態にし、該雄型部品及び雌型部品が偶発的に分離するのを防止することを特徴とする、請求項４に記載のコネクタ。
【請求項６】
前記雄型部品は、絶縁電線プラットフォームをさらに含み、前記電気コンタクトの前記第１の部分は、前記電線プラットフォーム上に配置され、該電線プラットフォームは、電線保持装置のための圧着面をさらに含むことを特徴とする、請求項１に記載のコネクタ。
【請求項７】
前記圧着面において前記電線プラットフォームに係合する電線保持装置をさらに含み、前記電線保持装置は、前記複数の電線が、前記雄型部品と係合した前記コネクタと電気接触状態で保持されるようされることを特徴とする、請求項６に記載のコネクタ。
【請求項８】
前記雄型部品は、前記電気コンタクトの前記第１の部分について別個の接触位置を定める側壁をさらに含むことを特徴とする、請求項１に記載のコネクタ。
【請求項９】
電気部品アセンブリであって、
コンタクト・パッドのフットプリントが上に定められた電気部品と、
複数の電線と、
前記電線の各々をそれぞれの前記コンタクト・パッドとの電気嵌合接触状態に維持する電気コネクタと、
を含み、前記電気コネクタは、
ソケットを定める絶縁本体と、前記電気部品の端部上におけるコネクタパッドのフットプリントに対応する距離だけ離間配置された前記絶縁本体の底面における第１の部分、及び、前記ソケット内に延びる第２の部分を有する、該絶縁本体内に保持される少なくとも２つの電気コンタクトと、を含む雌型部品と、
絶縁電線の導電性コアを受けるようにされた第１の部分を有する少なくとも２つの電気コンタクトを備えた絶縁性ベース本体を含む雄型部品と、
を含み、前記雄型部品は、前記ベース本体から横断方向に延びる絶縁性プラグ部材をさらに含み、前記電気コンタクトは、前記プラグ部材の上に少なくとも部分的に延びる第２の部分を有し、
前記雄型部品及び雌型部品の嵌合接触において、前記プラグ部材は、該プラグ部材上の前記電気コンタクトが、前記ソケット内の前記電気コンタクトに対して係合し、前記電線を前記電気部品に電気的に接続するように前記ソケットに挿入されることを特徴とする電気部品アセンブリ。
【請求項１０】
前記ソケット内の前記電気コンタクトの前記第２の部分は、ばね付勢されて、前記雄型プラグ部材の前記電気コンタクトの前記第２の部分と係合することを特徴とする、請求項９に記載の電気部品アセンブリ。
【請求項１１】
前記雌型部品内の前記電気コンタクトは、概ねＵ字型であり、前記付勢された第２の部分は、前記ソケット内に延びる前記Ｕ字型コンタクトの上側脚部によって定められ、該電気コンタクトの前記第１の部分は、前記絶縁本体内の開口部を通って該絶縁本体の前記底面まで延びる該Ｕ字型コンタクトの脚部によって定められることを特徴とする、請求項９に記載の電気部品アセンブリ。
【請求項１２】
前記雄型部品は、前記電気コンタクトの前記第１の部分の上で前記ベース本体に嵌合する上部カバー部材をさらに含むことを特徴とする、請求項９に記載の電気部品アセンブリ。
【請求項１３】
前記上部カバー部材上にラッチ装置をさらに含み、前記ラッチ装置は、前記雌型部品の上に延び、該雌型部品に係合して前記雄型部品及び雌型部品を結合状態にし、該雄型部品及び雌型部品が偶発的に分離するのを防止することを特徴とする、請求項１２に記載の電気部品アセンブリ。
【請求項１４】
前記雄型部品は、絶縁電線プラットフォームをさらに含み、前記電気コンタクトの前記第１の部分は、前記電線プラットフォーム上に配置され、該電線プラットフォームは、電線保持装置のための圧着面をさらに含むことを特徴とする、請求項９に記載の電気部品アセンブリ。
【請求項１５】
前記圧着面において前記電線プラットフォームに係合する電線保持装置をさらに含み、前記電線保持装置は、前記複数の電線が、前記雄型部品と係合した前記コネクタと電気接触状態で保持されるようされることを特徴とする、請求項１４に記載の電気部品アセンブリ。
【請求項１６】
前記雄型部品は、前記電気コンタクトの前記第１の部分について別個の接触位置を定める側壁をさらに含むことを特徴とする、請求項９に記載の電気部品アセンブリ。
【請求項１７】
前記電気部品は、ＰＣＢを含むことを特徴とする、請求項９に記載の電気部品アセンブリ。
【請求項１８】
前記電気部品は、ＬＥＤ基板を含むことを特徴とする、請求項９に記載の電気部品アセンブリ。
【発明の詳細な説明】
【技術分野】
【０００１】
本発明は、一般に、電気コネクタの分野に関し、より具体的には、１又はそれ以上の絶縁電線を、プリント回路基板（ＰＣＢ）に、より特定的にはＬＥＤ  ＰＣＢのような部品に接続するために使用されるタイプのコネクタに関する。
（優先権の主張）
本出願は、２００９年７月２７日に出願された米国仮出願第６１／２２８，８０５号に対する優先権を主張する。
【背景技術】
【０００２】
絶縁電線といずれかの形態の電気部品との間に接続を形成するための様々のタイプのコネクタが、当技術分野において周知である。これらのコネクタは、一般的には、広範囲のサイズ、ピッチ、及びめっきの選択肢により、ソケット、プラグ、及びシュラウド・ヘッダとして入手可能である。これらの従来のコネクタの多くは、これらが、電線を取り巻く絶縁体を切断する１組のブレード又はジョーを組み込む１つ又はそれ以上のコンタクト要素を含み、ワンステップ工程で導電性コアと電気的に接触し、このため、電線の被膜剥ぎ取り及び圧着、又は他の電線準備作業がなくなることから、絶縁置換コネクタ（Ｉｎｓｕｌａｔｉｏｎ  Ｄｉｓｐｌａｃｅｍｅｎｔ  Ｃｏｎｎｅｃｔｏｒ、ＩＤＣ）と呼ばれる。ＩＤＣは、電気通信産業において広範に使用されており、プリント回路基板（ＰＣＢ）用途においてより広く使用されるようになってきている。
【０００３】
米国サウスカロライナ州Ｍｙｒｔｌｅ  Ｂｅａｃｈ所在のＡＶＸ  Ｃｏｒｐｏｒａｔｉｏｎ社は、手持工具の助けにより、コンタクト・スロット内に電線を挿入する前に、回路基板に表面実装される低背型のＩＤＣ電線対基板コネクタ（シリーズ９１７５−９１７７）のラインを提供する。このプロセスは、電線の絶縁体を切断し、導電性電線コアがコネクタと確実な導電性接合部を形成することを可能にする。
【０００４】
特許文献１は、導体をコネクタに終端処理する前に、回路基板に取り付け、これに固定することができるＩＤＣアセンブリを説明する。この電気コネクタは、少なくとも１つの導体受け用開口部と、基板取り付け面から延びて各々の導体受け用開口部と交差する端子受け用通路とを有するハウジングを含む。
【０００５】
特許文献２は、特にＰＣＢへのＳＭＴ取り付けのために構成されたＩＤＣを説明する。コネクタ・アセンブリは、本体内に摺動可能に配置された、穿孔端部、切断端部、又は薄切り端部を有する少なくとも１つのコンタクト部材と、本体から延び、従来のＳＭＴプロセスを用いてプリント回路基板に取り付けられる取り付け端部とを有する。
【０００６】
ＩＤＣ電線対基板コネクタは、全ての用途には、特に頑丈な接続が必要とされ、かつ、接続された部品間のスペースが制限される用途には適していない。例えば、上に引用された参考文献におけるＩＤＣは、これらが、コンタクトの端部がＰＣＢ内の貫通孔に挿入された後又はＰＣＢに表面取り付けされた後に電線との最終的な接続を行なうために、本体の全て又は一部分がコンタクトに対して移動可能又は摺動可能であることが必要があるという点で、相対的に複雑なものである。さらに、電線が動いたり、コンタクト・ブレードから抜けたりする傾向があるため、ＩＤＣは、電気部品が長時間の衝撃及び振動を受けるストレスの多い環境には適していないというのが、業界における認識である。
【先行技術文献】
【特許文献】
【０００７】
【特許文献１】米国特許第６，０５０，８４５号
【特許文献２】米国特許第７，３２０，６１６号
【発明の概要】
【発明が解決しようとする課題】
【０００８】
本発明は、頑丈で信頼でき、コネクタ部品の簡単な接続及び分離を可能にする、ＩＤＣ電線対基板コネクタの代替物を提供する。
【課題を解決するための手段】
【０００９】
本発明の目的及び利点は、以下の説明において部分的に述べられ、又は説明から明らかになり、或いは本発明の実施を通して学ぶことができる。
【００１０】
本発明の態様によると、１つ又はそれ以上の絶縁導電性コア電線をＰＣＢのような電気部品に接続するのに特に適した電気コネクタが提供される。このコネクタは、照明器具又は他のＬＥＤ部品において、１つ又はそれ以上のＬＥＤ基板に対して接続がなされる照明用途に特に有用である。しかしながら、本発明によるコネクタは、ＬＥＤ基板又はいずれかの他の種類の基板と共に使用するように限定されるものではなく、電線といずれかの他の種類の部品との間の確実な電気接続が望まれる、あらゆる用途に使用できることを認識すべきである。本明細書においては、単に例示を目的として、電線を基板に接続するために使用するものとしてコネクタを説明する。
【００１１】
電線を部品に接続するようにされた電気コネクタの特定の実施形態において、コネクタは、ソケットを定める絶縁本体を有する雌型部品を含む。少なくとも２つの電気コンタクトが、絶縁本体内に保持され、各々のコンタクトは、ＰＣＢのような意図される電気部品の端部上のコネクタパッドのフットプリントに対応する距離（すなわち、パターン）だけ離間配置された絶縁本体の底面における第１の部分と、ソケット内に延びる第２の部分とを含む。
【００１２】
コネクタは、絶縁電線の導電性コアの電線を受けるようにされた第１の部分を有する少なくとも２つの電気コンタクトを備えた絶縁ベース本体を有する雄型部品を含む。雄型部品は、ベース本体から横断方向に延びる絶縁性プラグ部材をさらに含み、電気コンタクトは、プラグ部材の上に少なくとも部分的に延びる第２の部分を有する。雄型部品及び雌型部品の嵌合接触において、プラグ部材は、プラグ部材上の電気コンタクトが、ソケット内の電気コンタクトに対して係合し、電線を電気部品に電気的に接続するようにソケットに挿入される。
【００１３】
雄型部品及び雌型部品における電気コンタクトは、様々な形状及び構成をとることができる。例えば、特定の実施形態において、ソケット内の電気コンタクトの第２の部分は、ばね付勢されて、雄型プラグ部材の電気コンタクトの第２の部分と係合する。この実施形態において、雌型部品における電気コンタクトは概ねＵ字型とすることができ、付勢された第２の部分は、開口ソケット内に延びるＵ字型コンタクトの上側脚部によって定められ、電気コンタクトの第１の部分は、絶縁本体内の開口部を通って絶縁本体の底面まで延びるＵ字型コンタクトの反対側の脚部によって定められる。
【００１４】
コネクタの特有の実施形態において、雄型部品は、電気コンタクトの第１の部分の上でベース本体に嵌合する上部カバー部材を含むことができる。さらに、上部カバー部材は、雌型部品の上に延び、該雌型部品に係合して雄型部品及び雌型部品を結合状態にし、部品が偶発的に分離するのを防止するようにされたラッチ装置を含むことができる。
【００１５】
雄型部品は、複数の絶縁電線を受けるためのプラットフォームを含むことができ、それぞれの電気コンタクトの第１の部分がプラットフォーム上に配置される。さらに、電線プラットフォームは、複数の電線をプラットフォームに固定するように設計された電線保持装置のための圧着面を含むことができる。電線保持装置は、例えば、ケーブル・タイ又は類似の装置とすることができる。
【００１６】
雌型コネクタ部品は、周知の表面実装技術（ＳＭＴ）のいずれかの方法を含む、いずれかの適切な手段によって、回路基板又は他の部品に取り付け可能である。例えば、部品は、はんだ付け又は機械的手段によって基板上に保持することができる。本体部材は、基板内の補完的な雌型構造体又は雄型構造体と係合する、いずれの形態の雄型構造体又は雌型構造体も含むことができる。特定の実施形態において、基板の孔又は凹部に係合して基板をコネクタに対して適所に確実に保持する本体部材上の任意の位置に、突起部材のような雄型構造体を含ませることができる。いずれの方法の実装技術も、本発明によるコネクタ及び部品アセンブリに組み込むことができることを理解すべきである。
【００１７】
本発明はまた、特有のコネクタ要素を組み込んで、複数の電線を電気部品に電気的に接続する、いずれの形態の電気部品アセンブリも含む。例えば、部品アセンブリは、電気コネクタを介して、複数の導電性電線と電気的に嵌合接触しているＰＣＢを含むことができる。コネクタは、複数の電線を、照明器具内のＬＥＤ基板、又は他の種類のＬＥＤ用途に接続するのに特に適している。
【００１８】
特有のコネクタの特定の実施形態が、図に示された例を参照しながら、以下により詳細に説明される。
【図面の簡単な説明】
【００１９】
【図１】複数の導電性コア電線をＬＥＤ基板に接続するために用いられる、本発明の態様によるコネクタの実施形態の斜視図である。
【図２】コネクタの実施形態の雄型部品及び雌型部品の斜視図である。
【図３】複数の導電性コア電線と嵌合したコネクタの雄型部品の実施形態の斜視図である。
【図４】カバー部材を取り外した、図３の雄型部品の斜視図である。
【図５】図４の雄型部品の上面図である。
【図６】図５の雄型部品の代替的な斜視図である。
【図７】図６の雄型部品の底面斜視図である。
【図８】図６の雄型部品の側面斜視図である。
【図９】コネクタの雌型部品の実施形態の斜視図である。
【図１０】図９の雌型部品の斜視端面図である。
【図１１】図９の雌型部品の底面斜視図である。
【発明を実施するための形態】
【００２０】
ここで、その１つ又はそれ以上の例が図面に示される、本発明の実施形態を参照する。実施形態は、本発明を説明するために与えられるものであり、本発明を限定することを意図するものではない。例えば、１つの実施形態の一部として示され又は説明される特徴を別の実施形態と共に使用し、さらに別の実施形態を生み出すことができる。本発明は、本発明の範囲及び精神内に入るこれらの及び他の修正及び変形を含むことが意図される。
【００２１】
本発明の態様による電気コネクタ１０の例示的な実施形態が、種々の図に示される。図１を参照すると、コネクタ１０が、１つ又はそれ以上の絶縁電線１８の導電性コアをいずれかの形態の電気部品１２に接続するようにされている。部品１２は、複数のＬＥＤ照明１６を有するＬＥＤ  ＰＣＢ（ＬＥＤ基板）を含む、ＰＣＢのような基板部品１４として図に示される。部品１２は、その上にコンタクト・パッドのフットプリントを有するいずれの種類の電気部品とすることもでき、それぞれの電線１８を、目的に応じて、コンタクト・パッドの各々に接続することが望ましいことを容易に理解すべきである。説明及び例証を容易にするために、本明細書においては、コネクタ１０は、電線を、ＰＣＢ又はＬＥＤ基板１４のような基板に接続することに関連して示され、言及される。
【００２２】
このコネクタ１０の部品は、それらの意図された目的のために、種々の形状及び構成をとることができる。図示されるコネクタ１０の実施形態においては、雌型部品２４が、例えば図１に示されるようなＬＥＤ基板１４の表面の上といった基板１４の上に表面実装するようにされる。下記により詳細に説明されるように、別個の雄型部品４６が、雌型部品２４と係合して、複数の電線を基板１２に電気的に接続するようにされる。
【００２３】
特に図２及び図９−図１１を参照すると、示される雌型部品２４の実施形態は、例えば、側壁４４と上部壁４５との間といった内部に、内部ソケット２８が定められた絶縁本体２６を含む。絶縁本体２６は、種々の形状及びサイズをとることができ、一般的に、ナイロン−４６の耐高温ナイロン等の高温プラスチック材料のような、いずれかの好適な絶縁材料で形成される。他の絶縁材料は、当業者には周知であり、本発明のコネクタ１０の部品に使用することができる。
【００２４】
少なくとも２つの電気コンタクト３０が、雌型部品２４の本体２６内に保持される。所望のコンタクト・フットプリント（すなわち、双方向、三方向、四方向のコンタクト等）、に応じて、如何なる数のコンタクト３０を本体２６内に構成することもできる。コンタクト３０の各々は、基板１２上のそれぞれのコンタクト・パッド（図示せず）に対して係合する、本体２６の底面４０に配置された第１の部分３２を有する。通常、当業者には理解されるように、第１の部分３２は、基板１４上の対応するコンタクト・パッド２２の離間距離及びパターンに対応する距離及びパターンで、底面４０に沿って離間配置される。
【００２５】
特に図２及び図９に示されるように、雌型部品２４内のコンタクト３０は、開放ソケット２８内に延びる第２の部分３４を含むことができる。第２の部分３４は、コンタクト３０内の湾曲部３６の結果として、ソケット２８内にばね付勢することができる。示される実施形態におけるコンタクト３０は、ほぼＵ字型のストリップ部材であり、コンタクト３０の第１の部分３２が、本体部材２６の底面４０に沿ってＵ字型部材の下部内に定められる。第１の部分３２は、本体の底面４０付近の本体２６内の開口部又はスロット３８を通って延びることができる。Ｕ字型コンタクト３０の他方の脚部は、湾曲部３６により定められ、開放ソケット２８内に延び、湾曲部３６は、ある程度のばね力又は弾力を第２の部分３４に与える。Ｕ字型コンタクト３０は、本体２６の支柱又は部分の周りで湾曲することができ、或いは、コンタクト３０は、いずれかの形態のばねアーム、刺部、挟み止め点、溝、突起部、摩擦嵌め等で、本体２６のいずれかの部分に定められるスロット又は他の係合構造内に保持される。いずれかの好適な手段を用いて、コンタクト３０を本体２６内に保持できることを容易に理解すべきである。例えば、コンタクト３０は、本体２６内に成形してもよく、又はいずれかの機械的手段によって保持してもよい。
【００２６】
コネクタ１０は、１つ又はそれ以上の電線１８に取り付けられ、雌型部品２４を介して電線２０を部品１２に電気的に接続する役割を担う、図３−図８に示される部品４６のような雄型部品を含む。雄型部品４６は、いずれかの好適な絶縁材料で形成される絶縁ベース本体４８を含むことができる。本体４８は、これに保持される少なくとも２つの電気コンタクト５０を有する。図４及び図６に示すように、コンタクト５０は、絶縁電線１８の導電性コア２０を受けるようにされた第１の部分５２を有することができる。第１の部分５２は、電線絶縁体２２の一部を剥ぎ取ると露出される、電線コア２０を受けるためのベッド５８として構成することができる。ベッド５８は、それぞれの電線コア２０ごとに別個のはんだベッドを提供する、上向きリップ５６によって定めることができる。他の実施形態において、電線コア２０は、第１の部分５２に圧着することができ、又はいずれかの他の好適な手段によってコンタクト５０の第１の部分５２に嵌合させることができる。代替的な実施形態においては、第１の部分５２は、絶縁体２２を剥ぎ取ることなく、電線２０をコンタクト５０に電気的に嵌合させる絶縁置換コネクタ（ＩＤＣ）として構成することができる。
【００２７】
雄型部品４６は、ベース本体４８から横断方向に延びる絶縁プラグ部材６０を含む。図７に示すように、雄型部品４６内の電気コンタクト５０は、プラグ部材６０の上に少なくとも部分的に延びる第２の部分５４を有する。例えば、電気コンタクト５０は、通常、プラグ部材６０がベース本体４８から横断方向に延びる位置において、ベース本体４８内の開口部７０を通って、プラグ部材６０の底面の上に延びることができる。コンタクト５０は、本体４８内に及びプラグ部材６０に沿ってこの構成を収容するために、任意の数の湾曲部を含むことができる。雌型部品２４と同様に、コンタクト５０は、いずれかの好適な手段によって雄型部品４６内に保持することができる。例えば、コンタクト５０は、プラグ部材６０及び/又は本体４８内に直接成形してもよく、又はいずれかの好適な機械的手段によって保持してもよい。
【００２８】
図１及び図２を参照すると、電線コア２０と部品１２との間の電気的接続を嵌合させるために、雄型部品４６から横断方向に延びるプラグ部材６０が、部品１２上に取り付けられた雌型部品２４内の開口ソケット２８に押し込まれることが容易に理解される。プラグ部材の底面に沿ったプラグ部材６０上に露出されたコンタクト５０の第２の部分５４は、ソケット２８において上を向いている、ソケット２８内のコンタクト３０の付勢された第２の部分３４と押圧接触状態で係合する。
【００２９】
雌型部品２４は、いずれかの好適な表面実装技術によって部品１２の上面上に保持することができる。例えば、示される実施形態において、雌型部品は、はんだ付け又は当技術分野において知られている又は実施形態されている他のいずれかの従来の手段によって、基板１４上のコンタクト・パッドの上に取り付けるための表面実装ブラケット４２を含む。
【００３０】
雄型部品４６は、本体４８の主部から横断方向に延びるプラットフォーム６４を含むことができる。このプラットフォーム６４は、特に、コネクタ１０と係合する複数の電線１８の支持及び保持を与えるようにされる。この点で、プラットフォーム６４は、複数の電線１８の周りに圧着し、プラットフォーム６４に対して電線を固定する、電線ハーネス又は保持装置７６を受けるための圧着面６６を含むことができる。保持装置７６は、特に図３に示した従来のケーブル・タイのような、電線１８及びプラットフォーム６４の一部分の周りを包み込む、いずれかの形態の圧着装置とすることができる。プラットフォーム６４は、ケーブル・タイを締め付けることにより、電線１８を押し付けて摩擦係合させる複数のリブ６８を含むことができる。他の電線保持構造部を利用することもできることを理解すべきである。例えば、個々の電線について、プラットフォーム６４内に凹部又はチャネル等を定めることができる。
【００３１】
特に特有の実施形態において、雄型部品４６は、本体４８の上に押し付けられる又は他の方法で取り付けられる上部カバー部材７２を含むことができる。例えば、プラットフォーム６４上又は本体４８の他の部分上に設けられた突起部６７又は他の係合構造の上に、カバー７２を押し付けることができる。導電性コア２０とそれぞれのコンタクト５０の部分５２との間の別個のはんだ接続部の上に、カバー７２を配置することができる。
【００３２】
さらに、上部カバー部材は、雌型部品の上に延び、雌型部品に係合して雄型部品及び雌型部品を結合状態にし、部品が偶発的に分離するのを防止するようにされたラッチ装置７４（図３）含むことができる。ラッチ装置７４は、例えば、雌型部品２４の本体２６の縁部又は他の部分に係合するリップ７５を有する、本体４８に対してピボット旋回する部材とすることができる。
【００３３】
本明細書において説明されるコネクタ１０の部品は、決して、特定の構成材料に限定されないことを容易に理解すべきである。望ましい実施形態において、種々のコンタクトは、例えば、コンタクト尾部上において、ニッケルスズめっきの上に選択的に金がめっきされた銅合金とすることができる。表面実装ブラケットは、例えば、スズめっきされた銅合金とすることができる。絶縁本体部品は、例えば、ナイロン−４６とすることができる。
【００３４】
前述のように、本発明は、複数の電線を電気部品に電気的に接続するように、本発明の特有のコネクタ１０を組み込むいずれの形態の電気部品アセンブリも含む。この概念は、部品アセンブリ７８が示される図１に示される。述べられたように、部品アセンブリ７８は、ＬＥＤ基板１４の形態の電気部品１２を含む。コネクタは、照明器具又はいずれかの他の種類のＬＥＤ用途において複数の電線をＬＥＤ基板１４に接続するのに特に適している。部品アセンブリ７８は、いずれかの特定の種類の電気部品１２に限定されるものではないことを容易に理解すべきである。
【００３５】
当業者であれば、本発明の精神及び範囲から逸脱することなく、本明細書に示され、述べられる本発明の実施形態に対して、種々の修正及び変更をなし得ることを容易に理解すべきである。こうした修正及び変更は、添付の特許請求の範囲に含まれることが意図される。
【符号の説明】
【００３６】
１０：電気コネクタ
１２：基板
１４：ＬＥＤ基板
１６：ＬＥＤ照明
１８：絶縁電線
２０：電線
２２：絶縁体
２４：雌型部品
２６：本体
２８：ソケット
３０、５０：電気コンタクト
３２：コンタクト３０の第１の部分
３４：コンタクト３０の第２の部分
３６：湾曲部
３８：溝
４０：底面
４２：ブラケット
４４：側壁
４５：上部壁
４６：雄型部品
４８：ベース本体
５０：電気コンタクト
５２：コンタクト５０の第１の部分
５４：コンタクト５０の第２の部分
５６：リップ
５８：ベッド：
６０：プラグ部材
６４：プラットフォーム
６６：圧着面
６７：突起部
６８：リブ
７０：開口部
７２：上部カバー部材
７４：ラッチ装置
７５：リップ
７６：保持装置
７８：部品アセンブリ
【図５】
2011029188.tif 000003
【図６】
2011029188.tif 000004
【図７】
2011029188.tif 000005
【図８】
2011029188.tif 000006
【図１０】
2011029188.tif 000007
【図１１】
2011029188.tif 000008
【図１】
2011029188.tif 000009
【図２】
2011029188.tif 000010
【図３】
2011029188.tif 000011
【図４】
2011029188.tif 000012
【図９】
2011029188.tif 000013
【外国語明細書】
2011029188.tif 000014
2011029188.tif 000015
2011029188.tif 000016
2011029188.tif 000017
2011029188.tif 000018
2011029188.tif 000019
2011029188.tif 000020
2011029188.tif 000021
2011029188.tif 000022
2011029188.tif 000023
2011029188.tif 000024
2011029188.tif 000025
2011029188.tif 000026
2011029188.tif 000027
2011029188.tif 000028
2011029188.tif 000029
2011029188.tif 000030
2011029188.tif 000031
2011029188.tif 000032